(57)【特許請求の範囲】
【請求項１】
画像読み取り装置の透明な原稿台上に載置されるフィルムホルダであって、
下面が前記原稿台に接触し、前記原稿台下に設けられている前記画像読み取り装置の読み取り部によって読み取られるフィルム原稿の端部を保持する枠と、
前記枠の上面から突出し、弾性を有し、前記原稿台上に載置される前記画像読み取り装置の照明部によって押圧される突部と、を備え、
前記枠は、
下面が前記原稿台に接触するベースと、
上面から前記突部が突出し、下面が前記フィルム原稿の端部を間に挟んで前記ベースの
上面に対向するカバーと、
を有するフィルムホルダ。
【請求項２】
前記カバーの内側に設けられ、前記フィルム原稿の中央部を押さえる透明板をさらに備
える請求項１に記載のフィルムホルダ。
【請求項３】
透明な原稿台と、
前記原稿台上に載置される照明部と、
前記原稿台下に設けられ、前記原稿台に載置されるフィルム原稿を読み取る読み取り部と、
前記原稿台と前記照明部との間に載置され、前記フィルム原稿の端部を保持する枠と、
前記枠と前記照明部の間に設けられ、前記枠及び前記照明部によって押圧される弾性体
と、を備え、
前記枠は、
下面が前記原稿台に接触するベースと、
上面から前記突部が突出し、下面が前記フィルム原稿の端部を間に挟んで前記ベースの
上面に対向するカバーと、
を有する画像読み取り装置。
【請求項４】
透明な原稿台と、
前記原稿台上に載置される照明部と、
前記原稿台下に設けられ、前記原稿台に載置されるフィルム原稿を読み取る読み取り部と、
前記照明部の下面から突出し、弾性を有し、前記原稿台と前記照明部との間に載置され前記フィルム原稿の端部を保持する枠を押圧する突部と、を備え、
前記枠は、
下面が前記原稿台に接触するベースと、
上面から前記突部が突出し、下面が前記フィルム原稿の端部を間に挟んで前記ベースの
上面に対向するカバーと、
を有する画像読み取り装置。
【発明の詳細な説明】
【技術分野】
【０００１】
本発明はフィルムホルダ及び画像読み取り装置に関し、特にフィルム原稿を保持するフィルムホルダ及びフィルムホルダに保持されたフィルム原稿の画像を読み取る画像読み取り装置に関する。
【背景技術】
【０００２】
従来、写真フィルム等のフィルム原稿を読み取る画像読み取り装置が知られている。一般にストリップフィルム等のフィルム原稿は、フィルムホルダに保持された状態で画像読み取り装置に読み取られる（例えば特許文献１参照）。フィルムホルダは、画像読み取り装置のイメージセンサの被写界深度内にフィルム原稿を位置決めする。一般にフィルムホルダはプラスチック等の射出成形により製造される薄い部品であるため、変形しやすく、特に原稿台から浮き上がるように湾曲しやすい。このようにフィルムホルダが湾曲するとフィルムホルダに保持されたフィルム原稿はイメージセンサの被写界深度から外れるため、画像読み取り装置がフィルム原稿を鮮明に読み取ることができないという問題がある。
【０００３】
【特許文献１】特開２００３−３３７３８４号公報
【発明の開示】
【発明が解決しようとする課題】
【０００４】
本発明は、上述の問題を解決するために創作されたものであって、被写界深度内にフィルム原稿を正確に位置決めできるフィルムホルダ及び画像読み取り装置を提供することを目的とする。
【課題を解決するための手段】
【０００５】
（１）上記目的を達成するためのフィルムホルダは、画像読み取り装置の透明な原稿台上に載置されるフィルムホルダであって、下面が前記原稿台に接触し、前記原稿台下に設けられている前記画像読み取り装置の読み取り部によって読み取られるフィルム原稿の端部を保持する枠と、前記枠の上面から突出し、弾性を有し、前記原稿台上に載置される前記画像読み取り装置の照明部によって押圧される突部と、を備える。
本発明によると、原稿台に載置されたフィルムホルダの枠の上面に突出し弾性を有する突部を画像読み取り装置の照明部が押圧するため、突部の弾性力によりフィルムホルダは原稿台に押し付けられて変形が矯正される。したがって本発明によると、被写界深度内にフィルム原稿を正確に位置決めすることができる。また、本発明によると、枠の上面に突出する突部は弾性を有するため、各突部を押圧する照明部の部位が上下方向に揃っていなくても、全ての突部が照明部の押圧部により押圧されるので、確実にフィルムホルダの変形を矯正することができる。
【０００６】
（２）前記枠は、下面が前記原稿台に接触するベースと、上面から前記突部が突出し、下面が前記フィルム原稿の端部を間に挟んで前記ベースの上面に対向するカバーと、を有してもよい。
本発明によると、フィルム原稿とカバー又はベースの間に挟まれるフィルム原稿が湾曲している場合でも、フィルムホルダのカバーの突部が照明部により押圧されると、ベースが原稿台にならい、カバーによってフィルム原稿がベースに押し付けられることにより、フィルム原稿端部の湾曲が矯正される。
【０００７】
（３）前記カバーの内側に設けられ、前記フィルム原稿の中央部を押さえる透明板をさらに備えてもよい。
本発明によると、透明板によりフィルム原稿の中央部が押さえられるので、フィルム原稿中央部の湾曲が矯正される。
【０００８】
（４）上記目的を達成するための画像読み取り装置は、透明な原稿台と、前記原稿台上に載置される照明部と、前記原稿台下に設けられ、前記原稿台に載置されるフィルム原稿を読み取る読み取り部と、前記原稿台と前記照明部との間に載置され、前記フィルム原稿の端部を保持する枠と、前記枠と前記照明部の間に設けられ、前記枠及び前記照明部によって押圧される弾性体と、を備える。
本発明によると、原稿台に載置されたフィルムホルダの枠と画像読み取り装置の照明部との間に設けられる弾性体は、フィルムホルダの枠及び照明部によって押圧されるとその弾性力によりフィルムホルダを原稿台に押し付けるため、フィルムホルダの変形を矯正する。したがって本発明によると、被写界深度内にフィルム原稿を正確に位置決めすることができる。また、本発明によると、弾性体はその弾性により弾性体を押圧する照明部の部位が上下方向に揃っていなくても、全ての弾性体がフィルムホルダの枠と照明部によって押圧されるので、確実にフィルムホルダの変形を矯正することができる。
【０００９】
（５）上記目的を達成するための画像読み取り装置は、透明な原稿台と、前記原稿台上に載置される照明部と、前記原稿台下に設けられ、前記原稿台に載置されるフィルム原稿を読み取る読み取り部と、前記照明部の下面から突出し、弾性を有し、前記原稿台と前記照明部との間に載置され前記フィルム原稿の端部を保持する枠を押圧する突部と、を備える画像読み取り装置。
本発明によると、照明部の下面から突出し弾性を有する突部が原稿台に載置されたフィルムホルダの枠を押圧するため、突部の弾性力によりフィルムホルダは原稿台に押し付けられて変形が矯正される。したがって本発明によると、被写界深度内にフィルム原稿を正確に位置決めすることができる。また、本発明によると、照明部の下面から突出する突部は弾性を有するため、各突部が設けられる照明部の部位が上下方向に揃っていなくても、全ての突部がフィルムホルダの枠を押圧するので、確実にフィルムホルダの変形を矯正することができる。
【発明を実施するための最良の形態】
【００１０】
以下、実施例に基づいて本発明の実施の形態を説明する。
図２は、本発明に係る画像読み取り装置の一実施例としてのイメージスキャナ１を示す模式図である。イメージスキャナ１は、平坦な原稿台３２に載置された原稿を読み取る所謂フラットベッド型である。
原稿台３２はガラス板等の透明板で形成され、平坦な盤面上に印刷文書、写真、書籍、などの反射原稿や、３５ｍｍストリップフィルム等のフィルム原稿３４を保持したフィルムホルダ２が載置される。
【００１１】
フィルムホルダ２は、プラスチック等の樹脂の射出成形により形成され、フィルム原稿３４を光学系の被写界深度内に保持する。フィルムホルダ２は、ベース１００とカバー１０２を備える。ベース１００とカバー１０２はフィルム原稿３４を挟んで保持する。
キャリッジ２０は、原稿台３２の盤面に対し平行なガイドロッド３０に摺動自在に嵌合している。キャリッジ２０は第二光源３６、ミラー２２、レンズ１０、及びイメージセンサ２８を搭載している。キャリッジ２０は搬送用モータ４０によって駆動されるプーリ４２、４３に掛けられたベルト４４に牽引され、原稿台３２の盤面と平行に矢印Ａ、Ｂの方向に往復移動する。第二光源３６、ミラー２２、レンズ１０、及びイメージセンサ２８がキャリッジ２０によって原稿台３２の盤面と平行な矢印Ａ、Ｂの方向に運搬されると、原稿を読み取る主走査範囲が移動する。ミラー２２、レンズ１０、及びイメージセンサ２８は請求項に記載の読み取り部に相当する。尚、読み取り部はレンズ縮小型でも密着型でもよい。
【００１２】
照明部５０は、原稿台３２を挟んでキャリッジ２０と反対側に載置される。照明部５０は、第一光源２４、導光板５４、図示しないリフレクタ、及びこれらを収容するハウジング５２を備える。ハウジング５２は、キャリッジ２０等が収容される図示しない下部のハウジングにヒンジ等により搖動自在に連結されている。第一光源２４は、例えばキセノン、ネオン等の希ガスや水銀を封入した蛍光管ランプ等の管照明装置から構成されている。第一光源２４はその長手方向軸線がガイドロッド３０の長手方向軸線と平行に延びるように設けられている。主走査範囲はその中央が第一光源２４の真下に位置するように設定されている。図示しないリフレクタは第一光源２４に対し原稿台３２と反対側に設けられている。ハウジング５２には、導光板５４のための開口部５６が設けられ、導光板５４は開口部５６を閉塞するように設けられる。第一光源２４から放射された光は、リフレクタで反射し、導光板５４によって拡散され、原稿台３２上の所定の位置に位置決めされたフィルムホルダ２に保持されたフィルム原稿３４を均一な照度で照明する。
【００１３】
第二光源３６はその長手方向軸線がガイドロッド３０の長手方向軸線と垂直で原稿台３２に平行な方向に延びるようにキャリッジ２０に搭載されている。第二光源３６も蛍光管ランプ等の管照明装置から構成されている。
ミラー２２及びレンズ１０は、第一光源２４に照明された原稿の透過光と、第二光源３６に照明された原稿の反射光とをイメージセンサ２８の受光面に入射させる。
【００１４】
イメージセンサ２８は、フォトダイオード等で構成される図示しない光電変換素子が直線的に多数配列された所謂リニアイメージセンサである。イメージセンサ２８は多数の光電変換素子が管状の第一光源２４の中心軸線と平行に並ぶ姿勢でキャリッジ２０に搭載されている。
イメージセンサコントローラ７０はイメージセンサ２８を駆動するために必要な駆動パルスをイメージセンサ２８に出力する駆動回路であり、例えば同期信号発生器、駆動用タイミングジェネレータ等から構成される。
【００１５】
ＣＰＵ６０はＲＯＭ８２に記憶されているプログラムを実行してイメージスキャナ１の各部を制御する。ＲＡＭ７４は各種プログラム、各種データなどを一時的に記憶するメモリである。ＲＡＭコントローラ７２は、ＣＰＵ６０、ＡＦＥ部７６、画像処理部７８、外部インタフェースコントローラ８０等とＲＡＭ７４との間のデータ転送を制御する。
キャリッジコントローラ６８は、図示しない搬送用モータ駆動回路、制御回路等から構成される。キャリッジコントローラ６８は、ＣＰＵ６０から送信されるキャリッジ搬送制御信号を受信し、搬送用モータ４０の回転方向、回転速度等を制御する。
【００１６】
第一光源コントローラ６２は、図示しないインバータ回路、制御回路等から構成され、第一光源２４の点灯、消灯を制御する。第二光源コントローラ６４は、インバータ回路、制御回路等から構成され、第二光源３６の点灯、消灯を制御する。
アナログフロントエンド（ＡＦＥ）部７６は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像をＲＡＭコントローラ７２を介してＲＡＭ７４に格納する。
【００１７】
画像処理部７８は、ＲＡＭ７４に記憶されているスキャン画像に対し、ガンマ補正、シェーディング補正等の画像処理を施すための信号処理をＣＰＵ６０と協働して行うＤＳＰ（Digital Signal Processor）である。
外部インタフェースコントローラ８０は、イメージスキャナ１とＰＣ（Personal Computer）等の外部システムとを通信可能に接続する。
【００１８】
以上、画像読み取り装置としてのイメージスキャナ１について概要を説明した。次に、フィルムホルダ２について説明する。
図３は、本発明の一実施例に係るフィルムホルダ２を示す斜視図である。図１は、図３のＩ−Ｉ線の断面図、図４は図３のＩＩ−ＩＩ線の断面図である。
枠を構成するベース１００は、プラスチック等からなる枠形の部材で、矩形の開口部１０４を有する。ベース１００には、開口部１０４を囲むように、カバー１０２が収まる凹部１２０が形成されている。凹部１２０の底面１２２から複数のフック１１２が突出している。
【００１９】
枠を構成するカバー本体１３０は、プラスチック等からなり、矩形の開口部１０６を有する薄い枠形である。カバー本体１３０はヒンジ部１０８によってベース１００に搖動自在に接続されている。カバー本体１３０はベース１００に形成されたフック１１２に対応する位置に形成された複数の結合孔１１４を有する。
透明板１１０はカバー本体１３０の開口部１０６に設けられている。透明板１１０とカバー本体１３０とは両面テープ、接着剤などにより結合している。透明板１１０の下面には微小な凹凸が形成されていることが望ましい。フィルム原稿に密着する透明板１１０の下面が平滑面であると、ニュートンリングが発生するからである。尚、本明細書では原稿台３２の盤面が水平になる使用状態で上下を規定するものとする。
【００２０】
複数の突部１３２はカバー本体１３０の上面に突出している。各突部１３２は、ゴム、スポンジなどの弾性体で構成されている。尚、突部はカバー１０２と一体成形される板ばねなどで構成してもよい。各突部１３２の形状はほぼ直方体である。尚、突部は、開口部１０６を囲むロの字形や開口部１０６の長手方向に伸びる棒形でもよい。突部１３２の下端部は、カバー本体１３０に形成された箱状の支持部１３６に収容されている。
【００２１】
以下、フィルム原稿３４の位置決めについて説明する。
まず、フィルム原稿３４をフィルムホルダ２で保持する。フィルム原稿３４をフィルムホルダ２で保持するときは、まず、ベース１００の凹部１２０からカバー本体１３０を持ち上げ、開放姿勢に搖動させる。次に、ベース１００の凹部１２０の底面１２２にフィルム原稿３４を載置する。このときフィルム原稿３４の長辺側端部が凹部１２０の底面１２２に支持される。次に、カバー本体１３０を閉塞方向に搖動させてフィルム原稿３４に重ね、カバー本体１３０の結合孔１１４にベース１００のフック１１２が掛かるまでカバー本体１３０をベース１００の凹部１２０に押し込む。この結果、フィルム原稿３４の端部がベース１００の上面とカバー本体１３０の下面で挟まれる。カバー１０２の開口部１０６は透明板１１０により閉塞されているので、湾曲しているフィルム原稿３４も平坦な透明板１１０にならって平坦になる。
【００２２】
次に、フィルム原稿３４を保持したフィルムホルダ２を原稿台３２上の予め決められた位置に載置する。原稿台３２上でのフィルムホルダ２の水平方向の位置決めは、例えば原稿台３２の周囲に設けられたガイドにフィルムホルダ２を当接させることにより行われる。
次に、照明部５０をフィルムホルダ２上に載置する。フィルムホルダ２の上に照明部５０が載置されると、ハウジング５２は照明部５０の自重により複数の弾性体１３４を押圧する。押圧された弾性体１３４はその復元力により、原稿台３２に支持されているベース１００にカバー本体１３０を押し付ける。その結果、カバー本体１３０の下面とベース１００の上面に挟まれているフィルム原稿３４の端部はカバー本体１３０の下面とベース１００の上面に密着する。また押圧された弾性体１３４はその復元力によりカバー本体１３０を介してベース１００を原稿台３２に押し付けるため、カバー本体１３０及びベース１００は平坦な原稿台３２に倣って平坦になる。これにより、カバー本体１３０又はベース１００が湾曲している場合でも、これらは平坦な形状に矯正され、ベース１００が原稿台３２に密着するので、保持されているフィルム原稿３４は平坦な形状でイメージセンサ２８の被写界深度内に正確に位置決めされる。
【００２３】
尚、フィルムホルダ２に弾性を有する突部１３２を設けてそれを照明部５０により押圧する構成を説明したが、図５に示すように照明部５０のハウジング５２に弾性を有する突部１４０を設けてもよい。このとき、突部１４０は、原稿台３２上の予め決められた位置に載置されたフィルムホルダ２のカバー本体１３０を押圧する位置に設けられる。
また、画像読み取り装置としてフラットベッド型イメージスキャナを例示したが、本発明はミラー移動型イメージスキャナにも複合機にも適用することができる。
【図面の簡単な説明】
【００２４】
【図１】図３のＩ−Ｉ線の断面図。
【図２】本発明の一実施例に係るイメージスキャナのブロック図。
【図３】本発明の一実施例に係るフィルムホルダの斜視図。
【図４】図３のＩＩ−ＩＩ線の断面図。
【図５】本発明のその他の実施例に係る断面図。
【符号の説明】
【００２５】
１：イメージスキャナ（画像読み取り装置)、２：フィルムホルダ、１０：レンズ（読み取り部)、２２：ミラー（読み取り部)、２８：イメージセンサ（読み取り部)、３２：原稿台、３４：フィルム原稿、５０：照明部、１００：ベース（枠)、１０２：カバー、１１０：透明板、１３０：カバー本体（枠)、１３２：突部、１３４：弾性体、１４０：弾性体
【図１】
0004821191.tif 000002
【図２】
0004821191.tif 000003
【図３】
0004821191.tif 000004
【図４】
0004821191.tif 000005
【図５】
0004821191.tif 000006